(57)【特許請求の範囲】
【請求項１】
フィン部と、該フィン部を囲う枠部と、該枠部の上枠部または下枠部の内壁部、外壁部および前壁部を覆う、内壁部、外壁部および前壁部を備えたモールとを備える車両のラジエータグリルであって、
前記モールの内壁部の後端縁に左右方向に沿って複数の係止爪が設けられるとともに、前記モールの外壁部に左右方向に沿って複数の係合孔が設けられ、前記枠部の外壁部に左右方向に沿って複数の係合突起が設けられており、前記モールの係止爪を前記枠部の内壁部の後端縁に引掛け、前記モールの係合孔を前記枠部の係合突起に嵌合させることにより、前記モールが前記枠部に取り付けられるようになっている車両のラジエータグリルにおいて、
前記モールの内壁部の後端縁に位置決め片が設けられているとともに該位置決め片に前記複数の係止爪の内の１つが設けられており、前記枠部の内壁部の後端縁に位置決め孔が設けられており、前記位置決め片を前記位置決め孔に挿入することにより、前記係止爪が前記枠部の内壁部の後端縁に引掛けられ、かつ前記枠部に対する前記モールの左右方向の位置決めがされるようになっていることを特徴とする車両のラジエータグリル。
【請求項２】
前記位置決め孔および前記位置決め片は、前記枠部および前記モールの左右方向中央にのみ設けられており、前記係合孔の左右方向の幅は、前記係合突起の左右方向の幅よりも大きいことを特徴とする請求項１に記載の車両のラジエータグリル。
【発明の詳細な説明】
【０００１】
【発明の属する技術分野】
本発明は、車両のラジエータグリルに関するものである。
【０００２】
【従来の技術】
車両のラジエータグリル５として、図９乃至図１２に示すように、フィン部６と、フィン部６を囲う枠部７と、枠部７の上枠部８を覆うアッパーモール１０と、枠部７の下枠部９を覆うロアモール１１とを備えたものがある。フィン部６は縦フィン６１と横フィン６２とで格子状に形成されている。各枠部８、９は、内壁部８１、９１と外壁部８２、９２と前壁部８３、９３とを備えている。上枠部８の外壁部８２の後端縁８４には左右方向に沿って複数の係合孔８５が設けられている。アッパーモール１０は上枠部８の内壁部８１、外壁部８２および前壁部８３を覆う、内壁部１０１、外壁部１０２および前壁部１０３と、外壁部１０２の後端縁１０４に左右方向に沿って複数設けられた係合片１０５とを備えている。ロアモール１１は下枠部９の内壁部９１、外壁部９２および前壁部９３を覆う、内壁部１１１、外壁部１１２および前壁部１１３と、外壁部１１２の後端縁１１４に左右方向に沿って複数設けられた係合片１１５とを備えている。
【０００３】
このような構造のラジエータグリル５において、上枠部８にアッパーモール１０を取り付ける際は、図１０および図１１に示すように、アッパーモール１０の係合片１０５を上枠部８の係合孔８５に挿入させるとともに、アッパーモール１０を上枠部８に覆い被せて、上枠部８の係合孔８５から上枠部８の後側に突出したアッパーモール１０の係合片１０５を折り曲げて固定する。
【０００４】
また、下枠部９にロアモール１１を取り付ける際は、図１２に示すように、ロアモール１１を下枠部９に覆い被せて、下枠部９の外壁部９２の後端縁９４よりも後側に突出したロアモール１１の係合片１１５を内側に折り曲げ、下枠部９の外壁部９２の後端縁９４に引掛け固定する。
【０００５】
【発明が解決しようとする課題】
ところがこのような構造だと、枠部７に各モール１０、１１を覆い被せた後に、アッパーモール１０の係合片１０５およびロアモール１１の係合片１１５を折り曲げる必要があるため作業がめんどうであり、また係合片１０５、１１５を折り曲げる位置がバラつくため、取り付け作業によるモール取り付け位置のバラツキ、組み付けガタの大によるスキ発生等の不具合があり、さらには係合片１０５および係合片１１５が折れて取れてしまうという問題があった。
そこで本発明の第１の目的は、モールを枠部に覆い被せるだけで固定すると同時に枠部に対するモールの位置決めが容易にでき、また取り付け位置のバラツキがない車両のラジエータグリルを提供することである。第２の目的は、枠部に対してモールを確実に取り付けることができ、かつ枠部とモールの左右方向中心位置を確実に一致させることができる車両のラジエータグリルを提供することである。
【０００６】
【課題を解決するための手段】
上記第１の目的を達成するために、請求項１に記載の車両のラジエータグリルは、フィン部と、フィン部を囲う枠部と、枠部の上枠部または下枠部の内壁部、外壁部および前壁部を覆う内壁部、外壁部および前壁部を備えたモールとを備える車両のラジエータグリルにおいて、モールの内壁部の後端縁に左右方向に沿って複数の係止爪が設けられるとともに、モールの外壁部に左右方向に沿って複数の係合孔が設けられ、枠部の外壁部に左右方向に沿って複数の係合突起が設けられており、モールの係止爪を枠部の内壁部の後端縁に引掛け、モールの係合孔を枠部の係合突起に嵌合させることにより、モールが枠部に取り付けられるようになっており、なおかつモールの内壁部の後端縁に位置決め片が設けられるとともに、その位置決め片に前記複数の係止爪の内の１つが設けられ、枠部の内壁部の後端縁に位置決め孔が設けられており、位置決め片を位置決め孔に挿入することにより、係止爪が枠部の内壁部の後端縁に引掛けられ、かつ枠部に対するモールの左右方向の位置決めがされるようになっていることを特徴とする。この発明によれば、モールを枠部に覆い被せるだけで簡単に取り付けられ、固定することができ、なおかつモールを枠部に取り付けると同時に、枠部に対するモールの位置決めができ、さらに取り付け位置のバラツキをなくすことができる。
【０００８】
また上記第２の目的を達成するために、請求項２に記載の車両のラジエータグリルは、請求項１に記載の車両のラジエータグリルにおいて、枠部の位置決め孔およびモールの位置決め片は、枠部およびモールの左右方向中央にのみ設けられており、またモールの係合孔の左右方向の幅は、枠部の係合突起の左右方向の幅よりも大きいことを特徴とする。
この発明によれば、熱膨張等により生じる左右の寸法の変化に影響されることなく、枠部に対してモールを確実に取り付けることができる。また枠部とモールの左右方向中心位置を確実に一致させることができる。
【０００９】
【発明の実施の形態】
図１に示すように、ラジエータグリル１は、フィン部２と、フィン部２を囲う枠部３を備えている。
【００１０】
図１に示すように、フィン部２は、上下方向に延びる縦フィン２１と、左右方向に延びる横フィン２２とで構成されている。縦フィン２１と横フィン２２とは格子状に配置されている。縦フィン２１および横フィン２２は複数設けられている。
【００１１】
図１に示すように、枠部３は、フィン部２の上部に沿って配置された上枠部３１と、フィン部２の下部に沿って配置された下枠部３２と、フィン部２の側部に沿って配置された側枠部３０とを備えている。図２乃至図５に示すように、各枠部３１、３２、３０は、枠部３の内周壁を構成する内壁部３１１、３２１、３０１と、枠部３の外周壁を構成する外壁部３１２、３２２、３０２と、枠部３の前面壁を構成する前壁部３１３、３２３、３０３とを備えている。
【００１２】
図１および図３に示すように、下枠部３２の内壁部３２１には位置決め孔３２５が設けられている。位置決め孔３２５は角穴で、内壁部３２１の左右方向中央の後端縁３２４に位置しており前後方向に開通している。また下枠部３２の内壁部３２１には係合孔３２７が設けられている。係合孔３２７は角穴で、内壁部３２１の後端縁の左右両側３２６にそれぞれ設けられており前後方向に開通している。
【００１３】
図１および図４に示すように、下枠部３２の外壁部３２２には係合突起３２８が設けられている。係合突起３２８は円柱状だが、側面視では底辺の中央から前方に向かって上に傾斜する台形になっており、外壁部３２２の下面から１ｍｍ程突出している。
【００１４】
図１、図３および図４に示すように、ロアモール４は、下枠部３２の内壁部３２１、外壁部３２２および前壁部３２３を覆う内壁部４１、外壁部４２および前壁部４３とを備えている。
【００１５】
図３および図７に示すように、ロアモール４の内壁部４１には位置決め片４５１が設けられている。位置決め片４５１は、ロアモール４の左右方向の位置決め基準である下枠部３２の位置決め孔３２５と左右方向の幅が同じで、内壁部４１の左右方向中央の後端縁４４１から後方に突出している。そして位置決め片４５１には前下方向に突出する係止爪４６１が設けられている。またロアモール４の内壁部４１には係合片４５２が設けられている。係合片４５２の左右方向の幅は下枠部３２の係合孔３２７の左右方向の幅よりも小さく、内壁部４１の後端縁４４２から後方に突出している。そして係合片４５２には前下方向に突出する係止爪４６２が設けられている。
【００１６】
図４および図８に示すように、ロアモール４の外壁部４２には係合片４９が設けられている。係合片４９は外壁部４２の後端縁４７から後方に突出している。そして係合片４９には係合孔４８が設けられており、その左右方向の幅が下枠部３２の係合突起３２８の幅よりも大きい長穴である。
【００１７】
次に、下枠部３２へのロアモール４の取り付け方法について説明する。
図１に示すように、ロアモール４の位置決め片４５１と係合片４５２を下枠部３２の位置決め孔３２５と係合孔３２７に合わせて挿入する。すると下枠部３２に対するロアモール４の左右方向の位置決めがされる。その際図６に示すように、ロアモール４の内壁部４１が後方に、外壁部４２が前方になる方向に少し傾けて挿入し、下枠部３２の内壁部３２１の後端縁３２４、３２６にロアモール４の係止爪４６１、４６２を引掛けてからロアモール４の前壁部４３を押し込む。すると、ロアモール４の外壁部４２の係合孔４８が下枠部３２の外壁部３２２の係合突起３２８に嵌合されて、図３および図４に示すように取り付けられる。
【００１８】
以上のようなラジエータグリル１により、ロアモール４の係止爪４６１、４６２を下枠部３２の内壁部３２１の後端縁３２４，３２６に引掛け、ロアモール４の係合孔４８を下枠部３２の係合突起３２８に嵌合させることで、モールを枠部に覆い被せるだけで簡単に取り付けられ、固定することができる。さらに、ロアモール４の位置決め片４５１を下枠部３２の位置決め孔３２５に挿入して、係止爪４６１を下枠部３２の内壁部３２１の後端縁３２４に引っ掛けることで、ロアモール４を下枠部３２に取り付けると同時に、下枠部３２に対するロアモール４の位置決めもでき、取り付け位置のバラツキもなくすことができる。また下枠部３２の位置決め孔３２５およびロアモール４の位置決め片４５１を下枠部３２およびロアモール４の左右方向中央にのみ設け、ロアモール４の係合孔４８の左右方向の幅を下枠部３２の係合突起３２８の左右方向の幅よりも大きくすることで、熱膨張等により生じる左右寸法の変化に影響されることなく、下枠部３２に対してロアモール４を確実に取り付けることができ、かつ下枠部３２とロアモール４の左右方向中心位置を確実に一致させることができる。
【００１９】
【発明の効果】
本発明のラジエータグリルによれば、モールを枠部に覆い被せるだけで固定でき、同時に枠部に対するモールの位置決めができ、取り付け位置のバラツキもなくすことができる。また枠部に対してモールを確実に取り付けることができ、かつ枠部とモールの左右方向中心位置を確実に一致させることができる。
【００２０】
【図面の簡単な説明】
【図１】  本発明に係るラジエータグリルの概略図である。
【図２】  図１のＣ−Ｃ線断面図である。
【図３】  図１のＡ−Ａ線断面図である。
【図４】  図１のＢ−Ｂ線断面図である。
【図５】  図１のＤ−Ｄ線断面図である。
【図６】  本発明に係るモールの取り付け方を示す概略図である。
【図７】  図１の要部拡大図である。
【図８】  図１の要部拡大図である。
【図９】  従来のラジエータグリルの概略図である。
【図１０】図９のＥ−Ｅ線断面図である。
【図１１】図９のＧ視図である。
【図１２】図９のＦ−Ｆ線断面図である。
【符号の説明】
１…ラジエータグリル
２…フィン部
３…枠部
３１…上枠部
３１１、３１２，３１３…（上枠部の）内壁部、外壁部、前壁部
３２…下枠部
３２１，３２２，３２３…（下枠部の）内壁部、外壁部、前壁部
３２４…下枠部の内壁部の後端縁
３２５…下枠部の内壁部の後端縁に設けられた位置決め孔
３２８…下枠部の外壁部に設けられた係合突起
４…ロアモール
４１，４２，４３…（ロアモールの）内壁部、外壁部、前壁部
４４１，４４２…ロアモールの内壁部の後端縁
４５１…ロアモールの内壁部の後端縁に設けられた位置決め片
４６１、４６２…ロアモールの内壁部の後端縁に設けられた係止爪
４８…ロアモールの外壁部に設けられた係合孔
【図１】
0003962946.tif 000002
【図２】
0003962946.tif 000003
【図３】
0003962946.tif 000004
【図４】
0003962946.tif 000005
【図５】
0003962946.tif 000006
【図６】
0003962946.tif 000007
【図７】
0003962946.tif 000008
【図８】
0003962946.tif 000009
【図９】
0003962946.tif 000010
【図１０】
0003962946.tif 000011
【図１１】
0003962946.tif 000012
【図１２】
0003962946.tif 000013